(57)【要約】【課題】非寒冷地であるか、寒冷地であるかを問わずに、使用可能な洗濯機用水栓設備を提供する。【解決手段】洗濯機用パン１等に配置される洗濯機用水栓設備３Ａである。１次側の接続口３２を入口とする１次室３６ａ、及び、２次側の接続口３３を出口とする２次室３６ｂを備えると共に、１次室３６ａと２次室３６ｂとの連通及び非連通を択一的に選択するための止水機構部３６ｅを備える水栓本体３１を具備する洗濯機用水栓３０と、２次側の端部に吐水口（吐水口部材４０等）を設け、１次側の端部を２次側の接続口３３に接続する配管構成部材３０Ｋと、を備える。２次室３６ｂ及び配管構成部材３０Ｋで構成される２次側の流路部Ｙを、水平経路部５０ａ及び上昇経路部（５０ｂ、４０）で構成する。更に、止水機構部３６ｅを、２次側の流路部Ｙの最下方部と同一の高さに設ける。【選択図】    図２
2004353387.tif 000002
【特許請求の範囲】
【請求項１】
所定の洗濯機用パン及び該洗濯機用パンの設置部のうちの少なくとも一方に配置される洗濯機用水栓設備であって、
１次側の接続口を入口とする１次室、及び、２次側の接続口を出口とする２次室を備えると共に、該１次室と該２次室との連通及び非連通を択一的に選択するための止水機構部を備える水栓本体を具備する洗濯機用水栓と、
２次側の端部に吐水口を設け、１次側の端部を前記水栓本体の２次側の接続口に接続する配管構成部材と、を備え、
前記２次室及び前記配管構成部材で構成される２次側の流路部を、略水平な水平経路部及び１次側から２次側に上昇する上昇経路部のうちの少なくとも一方によって構成すると共に、
前記止水機構部を、前記２次側の流路部の最下方部と略同一の高さ、前記２次側の流路部と略同一の高さ、若しくは、前記２次側の流路部よりも下方に設けることを特徴とする洗濯機用水栓設備。
【請求項２】
前記止水機構部は、所定の開閉弁によって開閉される弁座部によって構成されることを特徴とする請求項１に記載の洗濯機用水栓設備。
【発明の詳細な説明】
【０００１】
【発明の属する技術分野】
本発明は、洗濯機用水栓設備に関する。
【０００２】
【従来の技術】
洗濯機用パンは、通常、床面等の設置部に設置されると共に、その主要部を構成するパン本体に所定の洗濯機を搭載する。かかる洗濯機に給水を行うための洗濯機用水栓設備の中には、その水栓本体等を設置部の壁面から突出する状態に配置するものがある。かかる洗濯機用水栓設備では、その水栓本体等が設置部の室内に露呈し、この室内の美観を低下させる等の不具合を有している。このため、このような不具合を解消するために、洗濯機用パンや設置部に設置されるタイプの洗濯機用水栓設備が提案されている（以下、「従来例」という。特許文献１を参照）。
【０００３】
【特許文献１】
特開２０００−９６６４９号公報（図１〜図３等参照）
【０００４】
【発明が解決しようとする課題】
しかし、従来例に係る洗濯機用水栓設備等では、使用可能な地域が限定される可能性がある。例えば、前記従来例には、内部に止水機構部を備える水栓本体（特許文献１の各図に示す水栓器具１４ａ、１４ｂ）と、この水栓本体の２次側の接続口に接続される配管構成部材（特許文献１の各図に示す吐水配管３及び吐水パイプ４で構成）とを備えた洗濯機用水栓設備が例示されているが、この洗濯機用水栓設備においては、配管構成部材において止水機構部よりも下方に位置する部分が存在する。（つまり、特許文献１の各図から判断すると、吐水配管３の全域及び吐水パイプ４の下方側部分が、止水機構部よりも下方に位置している。）。
【０００５】
また、図５に示すように、従来の洗濯機用水栓設備３Ｄ等の中には、止水機構部３６ｅの２次側に形成される「２次側の流路部Ｙ」において、配管構成部材３０Ｋの他にも、止水機構部３６ｅより下方に位置する部分を有するものがある。例えば、水栓本体３１において止水機構部３６ｅの２次側に形成される「２次室３６ｂ」においても、止水機構部３６ｅよりも下方に位置する部分を有するものがある。
【０００６】
これらの洗濯機用水栓設備（３Ｄ）等を寒冷地において使用する場合には、たとえ、その１次側に水抜き装置を設置しても、「凍結防止用の水抜き」を確実に行うことが容易ではない。つまり、これらの洗濯機用水栓設備（３Ｄ等）においては、その１次側に配置される水抜き装置（図示を省略）を操作し、洗濯機用水栓設備（３Ｄ等）の全流路部内（止水機構部３６ｅの１次側の流路部Ｖ及び２次側の流路部Ｙ内）の圧力を減圧しても、止水機構部（３６ｅ等）の２次側の流路部（Ｙ等）内の残水を確実に排水できないことがある。
【０００７】
特に、図５に示すように、連絡用配管５０等を用い、洗濯機用水栓３０の水栓本体３１と離間する位置に、吐水口を配置する洗濯機用水栓設備３Ｄにおいては、止水機構部３６ｅの２次側の流路部（Ｙ等）の長さが、連絡用配管５０等の全長分だけ、長くなるため、前記排出されない「残水」の量が多くなる可能性がある。
【０００８】
このように、確実な水抜きが困難な「洗濯機用水栓設備」を、寒冷地等で使用すると、凍結破壊等の不具合を生ずる可能性がある。よって、これらの従来例に係る「洗濯機用水栓設備」は、専ら、非寒冷地（温暖地等の寒冷地以外の地を指す。）で使用され、汎用性が低いものとなっていた。
【０００９】
本発明は、上述の課題を解決するものであり、非寒冷地であるか、寒冷地であるかを問わずに、使用可能な洗濯機用水栓設備を提供することを目的とする。
【００１０】
【課題を解決するための手段】
請求項１の発明の洗濯機用水栓設備は、所定の洗濯機用パン及び該洗濯機用パンの設置部のうちの少なくとも一方に配置される洗濯機用水栓設備であって、
１次側の接続口を入口とする１次室、及び、２次側の接続口を出口とする２次室を備えると共に、該１次室と該２次室との連通及び非連通を択一的に選択するための止水機構部を備える水栓本体を具備する洗濯機用水栓と、
２次側の端部に吐水口を設け、１次側の端部を前記水栓本体の２次側の接続口に接続する配管構成部材と、を備え、
前記２次室及び前記配管構成部材で構成される２次側の流路部を、略水平な水平経路部及び１次側から２次側に上昇する上昇経路部のうちの少なくとも一方によって構成すると共に、
前記止水機構部を、前記２次側の流路部の最下方部と略同一の高さ、前記２次側の流路部と略同一の高さ、若しくは、前記２次側の流路部よりも下方に設けることを特徴とする。
【００１１】
請求項１の発明では、「２次側の流路部」を、▲１▼水平経路部で構成したり、▲２▼上昇経路部で構成したり、▲３▼水平経路部及び上昇経路部で構成する。しかも、止水機構部を、２次側の流路部の最下方部や全域と同一の高さに設けたり、２次側の流路部よりも下方に設ける。つまり、２次側の流路部が水溜まり部（例えば、下方若しくは上方に凸となる略Ｕ字状、若しくは、Ｖ字状の経路部分）を排除した経路を形成する。このため、例えば、洗濯機用水栓設備の１次側に配置される水抜き装置を操作し、洗濯機用水栓設備の全流路部内（止水機構部の１次側及び２次側の流路部内）の圧力を減圧すると、止水機構部の２次側の流路部内の残水を確実に排水できる。従って、請求項１の発明によると、同一仕様であるにも係わらず、非寒冷地であるか、寒冷地であるかを問わず、使用可能な洗濯機用水栓設備が得られる。
【００１２】
ここで、請求項１〜２の各発明（以下、単に「各発明」という。）において、２次側の流路部の「高さ」を、例えば、２次側の流路部を構成する各部位の高さ方向に沿った中心位置で示すことができる。例えば、２次側の流路部が円筒状（管状）の部位を備える場合には、この部位の軸心の位置によって「高さ」を示すことができる。
【００１３】
なお、各発明において、「止水機構部を、２次側の流路部の最下方部と略同一の高さ、２次側の流路部と略同一の高さ、若しくは、２次側の流路部よりも下方に設ける」とは以下の場合を指す。すなわち、本発明の洗濯機用水栓設備を寒冷地等で使用した場合に、止水機構部の１次側に配置される水抜き装置を操作して、洗濯機用水栓設備の全流路部内の残水を排出したとき、流路部内から完全に排水されずに残水が残ったとしても、その残水が凍結して流路部等が破壊等の不具合が生ずるような多量の残水が溜まらない程度に排水できれば良く、流路部内から完全に排水できるように止水機構部を設ける必要がないことを指す。
【００１４】
各発明の「上昇経路部」としては、１次側から２次側に略垂設される経路部の他に、１次側から２次側に略直線状に上がり傾斜する経路部や、１次側から２次側に曲線状の上昇経路を描く経路部等を例示できる。また、各発明において、２次側の流路部は、水平経路部及び前記上昇経路部のうちの一方、若しくは、双方を複数個備えていてもよい。
【００１５】
各発明の洗濯機用水栓は、水道配管から供給される水を洗濯機に対してそのまま給水するものであっても、１次側に配置される給湯器で予め所望温度に調温された水（湯）を洗濯機に対して給水するものであってもよい。また、各発明の洗濯機用水栓は湯水混合水栓であってもよい。
【００１６】
請求項１の発明においては、水栓本体（洗濯機用水栓）及び吐水口を洗濯機用パンに配置しても、水栓本体（洗濯機用水栓）及び吐水口を洗濯機用パンの設置部に配置してもよいし、水栓本体（洗濯機用水栓）及び吐水口のうちの一方を洗濯機用パンに配置し、他方を設置部に配置してもよい。また、水栓本体（洗濯機用水栓）及び吐水口のうちの少なくとも一方を設置部に設置する態様においては、これらを、設置部における洗濯機用パンの下方に位置する部分（以下、「パン下部」という。）に設置してもよいし、設置部における洗濯機用パンの周囲の部分（以下、「パン外部」という。）に設置してもよい。更に、水栓本体（洗濯機用水栓）をパン下部に配置したり、水栓本体（洗濯機用水栓）を洗濯機用パン内に隠蔽する状態で配置する態様においては、洗濯機用水栓の操作部（ハンドルやレバー等）や、吐水口を、洗濯機用パンの外側に露呈させることが望ましい。尚、請求項２の発明においては、前述する何れの設置態様においても、配管構成部材の略全体若しくは一部を、洗濯機用パンによって隠蔽することが望ましい。
【００１７】
請求項２に記載の洗濯機用水栓設備は、請求項１に記載の洗濯機用水栓設備において、前記止水機構部は、所定の開閉弁によって開閉される弁座部によって構成されることを特徴とする。
【００１８】
請求項２の発明は、止水機構部の具体例を示している。例えば、水栓本体の内部に１次室（１次側の流路部）及び２次室（２次側の流路部）を区画する隔壁部を設け、この隔壁部に両室（両流路部）を連通させる連通孔を設ける。そして、隔壁部における連通孔の周囲部（１次室側でも、２次室側でもよい。）を弁座部とし、これによって止水機構部を構成してもよい。また、連通孔自体を孔状の弁座部としたり、連通孔の内部に孔状の弁座部を設け、これらの弁座部によって止水機構部を構成してもよい。尚、この孔状の弁座部は、例えば、挿嵌されたり、抜脱される弁体によって開閉される。
【００１９】
【発明の実施の形態】
次に、本各発明に係わる「洗濯機用水栓設備」の実施の形態を図面に従って詳細に説明する。
【００２０】
本実施例では、洗濯機用水栓設備３Ａの説明に先立って、洗濯機用パン１等の説明を行う。この洗濯機用パン１は、図１及び図２に示すように、その主要部を構成するパン本体１０を備え、設置部の一例を構成する床面２に設置されている。尚、この床面２において、洗濯機用パン１の下方に位置する部分（以下、「パン下部」という。）２Ａは略矩形状に構成されている。また、このパン下部２Ａにおいて、その１つの角部に近接する部位が、元配管６０の端末部６１の立ち上げ箇所となっている。
【００２１】
パン本体１０は、図１に示すように、合成樹脂（例えば、ポリプロピレンやＡＢＳ等）を用いて構成されると共に、床面２（パン下部２Ａ上）に設置されている。このパン本体１０は、略矩形の平面形状とされた搭載部１１と、搭載部１１の周縁部に沿って設けられた周壁部１２と、搭載部１１の１つの辺に沿って隆起する隆起部Ｒと、を備えている。尚、図示を省略するが、パン本体１０の略中央部には表裏を貫通する状態で取付孔が設けられ、この取付孔には洗濯機の排水ホースが接続される「排水トラップ」が装着されている。
【００２２】
搭載部１１は、図１に示すように、略矩形状の板状体によって構成され、その表面（上面）に所定の洗濯機が搭載される。この搭載部１１は、周壁部１２の上下方向に沿った中間部と一体とされている。即ち、パン本体１０は、搭載部１１を底部とする「上げ底の略容器形状」を備えている。このため、本洗濯機用パン１を床面２に設置すると、搭載部１１の裏面の全域と、床面２との間に空間が形成される。
【００２３】
周壁部１２は、図１に示すように、搭載部１１の周縁部と一体とされながら立設された内壁部１２ａと、この内壁部１２ａの外側に略平行に立設された外壁部１２ｂと、内壁部１２ａ及び外壁部１２ｂの両上端部間を掛け渡す上面部１２ｃとを備えている。尚、この周壁部１２のうちで、搭載部１１の上方に位置する部分は、搭載部１１の上に漏れ出た水が、本洗濯機用パン１の外側にこぼれ出ることを防止するための防水壁として機能する。
【００２４】
隆起部Ｒは、図２に示すように、下方を開口させる長尺状の略容器形状とされ、搭載部１１の１つの辺に長手方向を沿わせた状態で、周壁部１２よりも上方に隆起すると共に周壁部１２よりも大きな短手幅を備える。また、隆起部Ｒは、図２に示すように、搭載部１１の１つの辺に沿って、連続する収納空間ｒをその内部に形成している。そして、この収納空間ｒは、搭載部１１の下方の空間及び周壁部１２の内部空間と連通している（図示を省略）。
【００２５】
隆起部Ｒの一方の端部が、水栓本体３１の装着部を構成する第１の装着部１３とされ、隆起部Ｒの他方の端部が、吐水口部材４０の装着部を構成する第２の装着部１４とされている。また、第１の装着部１３及び第２の装着部１４の間が、後述する「連絡用配管５０」を挿通する配管挿通部１８とされている。
【００２６】
第１の装着部１３は、図２に示すように、元配管６０の端末部６１の立ち上げ箇所の上方に位置する。そして、第１の装着部１３の下方に位置する空間部分１３ａ（収納空間ｒの一端側の部分）において、水栓本体３１と元配管６０との接続部Ｓが配設されている。更に、第１の装着部１３の上面部１３ｂには取付孔１３ｃが設けられている。そして、本洗濯機用パン１を設置状態とすると、この取付孔１３ｃの略下方に元配管６０の端末部６１の立ち上げ箇所が位置する。
【００２７】
洗濯機用水栓設備３Ａは、図２に示すように、洗濯機用水栓３０と、配管構成部材３０Ｋとを備えている。このうち、洗濯機用水栓３０は、元配管６０から供給される水を、図示しない洗濯機に供給するための単水栓である。そして、この洗濯機用水栓３０は、図３に示すように、水栓本体３１と、操作軸（例えば、スピンドル等）３８と、弁体３７と、操作部（例えば、ハンドル若しくはレバー）３９と、を備えている。
【００２８】
水栓本体３１は、図３に示すように、１次側の接続口（元配管６０側の接続口）３２を下方に開口させ、２次側の接続口（洗濯機側の接続口）３３を側方に開口させている。また、上端側を、パン本体１０に固定するための固定部３４としている。即ち、固定部３４は軸線を上下に向けた略円筒形状に構成され、その外周面のうちで、上下方向中間部に位置する部位からは、固定部３４の半径方向外側に向かってフランジ３４ａを突出させている。また、固定部３４の外周面のうちで、フランジ３４ａよりも上方の部位には雄ネジ部３４ｂが設けられている。また、固定部３４の内周面には、後述する操作軸３８を螺進可能に支持するための雌ネジ部３４ｃが設けられている。
【００２９】
この固定部３４は、上端部を先頭に上面部１３ｂの下方から取付孔１３ｃに挿入されている。そして、雄ネジ部３４ｂが上面部１３ｂの上方に突出し、フランジ３４ａが上面部１３ｂの裏面に当接したところで、雄ネジ部３４ｂにフランジ付きの固定用ナット３５が螺合されている。これにより、フランジ３４ａと、固定用ナット３５のフランジとで上面部１３ｂが挟持され、水栓本体３１が上面部１３ｂに装着固定されている。
【００３０】
水栓本体３１の内部空間は、上面部（２次側に位置する面）を略水平面とする隔壁３６によって区画されている。尚、この隔壁３６は、下面部（１次側に位置する面）も、略水平面とする。そして、隔壁３６の１次側の空間部分は、１次側の接続口３２に連絡される１次室３６ａを構成し、隔壁３６の２次側の空間部分は、２次側の接続口３３に連絡される２次室（弁室）３６ｂを構成している。
【００３１】
２次室（弁室）３６ｂは、隔壁３６の上方において略水平に設けられ、２次側の接続口３３を２次側の端部（終端部）としている。また、１次室３６ａは隔壁３６の略鉛直上下方向に設けられ、１次側の接続口３２を１次側の端部（始端部）としている。即ち、本実施例では、２次室（弁室）３６ｂのみならず、１次室３６ａからも、水溜まり部分が排除されている。
【００３２】
隔壁３６には、１次室３６ａ及び２次室３６ｂを連通する連通孔３６ｃが設けられている。また、２次側の接続口３３が連通孔３６ｃよりも上方に配置され、１次側の接続口３２は連通孔３６ｃよりも下方に配置されている。尚、本実施例では、１次側の接続口３２を１次側の端部（始端部）とする「１次室３６ａ」が、止水機構部３６ｅの「１次側の流路部Ｖ」の一具体例を構成する。
【００３３】
操作軸３８は、中間部周面に雄ネジ部３８ａを備え、下端面に弁体（例えば、「こま」）３７をねじ止め固定している。更に、操作軸３８の一端部（上端部）には、操作部３９が、操作軸３８と一体で回動可能な状態に取着されている。このように、弁体３７が固定された操作軸３８は、その雄ネジ部３８ａを固定部３４の雌ネジ部３４ｃに螺合させ、固定部３４の軸心方向（上下方向）に螺進可能とされている。
【００３４】
操作軸３８が下方に螺進し、弁体３７の下端面が隔壁３６に当接し、連通孔３６ｃを閉塞すると、１次室３６ａ及び２次室３６ｂは非連通とされる。一方、操作軸３８が上方に螺進し、弁体３７の下端面が隔壁３６から離間し、連通孔３６ｃを開放すると、１次室３６ａ及び２次室３６ｂは連通状態とされる。つまり、隔壁３６の上面部のうちで、連通孔３６ｃの周囲の部位によって「弁座部３６ｄ」を構成し、「開閉弁」の一具体例を示す弁体３７によって開閉される。即ち、本実施例では、この弁座部３６ｄによって「止水機構部３６ｅ」を構成するが、この止水機構部３６ｅの高さ（つまり、弁座部３６ｄの高さ）は、２次室３６ｂの最下方部の位置（隔壁３６に接する部分の位置）と同じ位置とされている。
【００３５】
尚、本洗濯機用パン１は、自動洗濯機に対して特に好適に用いられるものである。しかも、水栓本体３１の２次側の接続口３３に接続される「連絡用配管５０」の２次側の端末部にオートストッパー機構付きの「吐水口部材４０」が接続される。このため、本洗濯機用パン１が所定の設置部（例えば、床面２）に使用可能な状態に設置されると、連通孔３６ｃは常に開放された状態（水栓本体３１の弁座部３６ｄを開放した状態）とされる。
【００３６】
配管構成部材３０Ｋは、図２に示すように、吐水口部材４０と、連絡用配管５０と、を用いて構成されている。このうち、連絡用配管５０は、隆起部Ｒの収納空間ｒのうちの上方側の部分（周壁部１２よりも上方の部分）を、第１の装着部１３の空間部分１３ａ、配管挿通部１８の空間部分１８ａ、第２の装着部１４の空間部分１４ａの順に通過して、第２の装着部１４の上方に２次側の端部（吐水口部材４０の２次側の端部）を突出させている。この配管構成部材３０Ｋは、水栓本体３１から給水される水（冷水でも、温水でもよい。）を、水栓本体３１とは離間する位置に到達させるためのものである。
【００３７】
尚、連絡用配管５０は、２次側の端部以外の部分を構成すると共に略水平に配置される水平経路部５０ａと、２次側の端部を構成すると共に略垂設状に配置された立ち上がり部分５０ｂとを備えている。そして、水平経路部５０ａが、第１の装着部１３の空間部分１３ａと配管挿通部１８の空間部分１８ａとに軸線を横に向けた状態で配置され、立ち上がり部分５０ｂが第２の装着部１４の空間部分１４ａに端末部を上方に向けた状態で配置されている。
【００３８】
この連絡用配管５０の一次側の端部（水平経路部５０ａの一次側の端部）は、水栓本体３１の２次側の接続口３３に対して、所定のアダプタ５１と、締結具（クリップ状の締結具等）５２とを介して接続されている。即ち、アダプタ５１は軸線を略水平に向けた略筒状態で構成され、その一端部を２次側の接続口３３に対して、シール部材（図示を省略）を介して十分な水密性を維持した状態で螺合接続している。
【００３９】
アダプタ５１の他端部においては、連絡用配管５０の１次側の端部（水平経路部５０ａの一次側の端部）を挿嵌状に受け入れている（シール部材を介して十分な水密性を維持した状態）。そして、この状態で、アダプタ５１の他端部の固定用鍔部と、内部配管５０の一端部の固定用鍔部とが当接されると共に、この当接状態が、締結具（クリップ状の締結具等）５２によって堅固に維持されている。
【００４０】
吐水口部材４０は、図２に示すように、洗濯機用水栓設備３Ａの吐水口を構成するものであり、軸線を上下方向に向けた状態で第２の装着部１４に装着されている。つまり、２次側の端部を上方に向け、１次側の端部を下方に向けた状態で第２の装着部１４に装着されている。この吐水口部材４０の一次側の端部と、連絡用配管５０の２次側の端末部（立ち上がり部分５０ｂの２次側の端末部であって、上方を向いている。）とは、十分な水密性を維持した状態で接続されている。
【００４１】
このように、本実施例では、図２に示すように、２次室３６ｂ及び配管構成部材３０Ｋによって、止水機構部３６ｅの２次側に、「２次側の流路部Ｙ」を構成する。そして、配管構成部材３０Ｋは、水平経路部５０ａと、上昇経路部（立ち上がり部分５０ｂ及び吐水口部材４０）を備える。しかも、２次側の接続口３３を２次側の端部とする２次室３６ｂも、水平経路部５０ａと略同一の高さに略水平に設けられ、更に、止水機構部３６ｅの高さ（つまり、弁座部３６ｄの高さ）が、２次室３６ｂの最下方部の位置（隔壁３６に接する部分の位置）と同じ位置とされている。
【００４２】
尚、この吐水口部材４０おいて、第２の装着部１４の上方に突出する端末部４１は、ホース継手の着脱に応じて自動的に吐止水を行うオートストッパー機構を備えている。この端末部４１に所定の洗濯機のホース継手が取着されると、その２次側（洗濯機のホース）への通水を可能とするが、このホース継手が取り外されると、その２次側（洗濯機のホース）への通水が不可能とされる。
【００４３】
水栓本体３１の１次側の接続口３２には、図２及び３に示すように、元配管６０の端末部６１が接続され、接続部Ｓを構成している。この接続部Ｓは、パン本体１０の内部空間内であって、しかも、床面２の上方に位置している。
【００４４】
元配管６０は、図２に示すように、パン下部２Ａの１つの角部に近接する部位から立ち上げられたの端末部６１と、端末部６１の１次側に位置する本管部６２とを備えている。このうち、元配管６０の端末部６１の末端（２次側の端部）は継ぎ手６１ａによって構成され、本管部６２の１次側の端部は給水源６３にそのまま（給湯器等を介することなく、そのまま）接続されている。尚、継ぎ手６１ａは、水栓本体３１に対し、所謂「雌型のワンタッチ継ぎ手」として機能する。つまり、この継ぎ手６１ａは、雄型に構成された「１次側の接続口３２」を挿嵌状に受け入れると共に、内部に設けられた係止手段によって「１次側の接続口３２」を弾発状（弾性的）に係止して、元配管６０と「１次側の接続口３２」との接続を完了する。
【００４５】
本管部６２は分岐部６６を備えると共に、この分岐部６６を始端とする分岐管部６６ａを備えている。また、この本管部６２において、分岐部６６の１次側の位置（給水源６３側の位置）には、止水弁６５が設置されている。この止水弁６５は、本管部６２における止水弁６５の１次側の部分（給水源６３側の部分）６２ａと、２次側の部分（水栓本体３１側の部分）６２ｂとの連通、非連通を選択するためのものである。
【００４６】
分岐管部６６ａの中間部には、水抜き弁（水抜き装置）６７ａが配置されると共に、分岐管部６６ａの終端部は開放され、水抜き口６７ｂを構成している。この水抜き弁（水抜き装置）６７ａに開弁操作を施すと、分岐管部６６ａにおける「水抜き弁（水抜き装置）６７ａの１次側の部分６６ｂ」と、「水抜き弁（水抜き装置）６７ａの２次側の部分６６ｃ」とが連通し、本管部６２と水抜き口６７ｂとが連通状態となる。一方、この水抜き弁（水抜き装置）６７ａに閉弁操作を施すと、分岐管部６６ａにおける「水抜き弁（水抜き装置）６７ａの１次側の部分６６ｂ」と、「水抜き弁（水抜き装置）６７ａの２次側の部分６６ｃ」とが非連通となり、本管部６２と水抜き口６７ｂとが非連通な状態となる。
【００４７】
本実施例では、１次側の接続口３２を１次側の端部とする１次室３６ａ、つまり、洗濯機用水栓３０の「１次側の流路部Ｖ」は、最高位置を止水機構部３６ｅの下方に配置すると共に、軸線を上下方向に向け、しかも、１次側の端部を下方に向けている。しかも、元配管６０においても、図２に示すように、その端末部６１と、水抜き弁（水抜き装置）６７ａの設置部位との間の部分が、上昇経路部（２次側に上昇する流路部分）と、水平経路部と、によって（上昇経路部及び水平経路部のうちの一方でもよい。）構成されている。
【００４８】
本実施例において、洗濯機水栓３０から水抜きを行う場合には、先ず、止水弁６５に閉弁操作を施し、本管部６２における止水弁６５の１次側の部分（給水源６３側の部分）６２ａと、２次側の部分（水栓本体３１側の部分）６２ｂとを非連通とする。尚、本洗濯機用水栓３０が通常の使用状態にあるとき（洗濯機が使用可能な状態にあるとき）は、弁座部３６（止水機構部３６ｅ）が開放状態とされると共に、止水弁６５には開弁操作が施され、１次側の部分６２ａと、２次側の部分６２ｂとは連通状態とされる。
【００４９】
次いで、水抜き弁（水抜き装置）６７ａに開弁操作を施し、分岐管部６６ａにおける「水抜き弁（水抜き装置）６７ａの１次側の部分６６ｂ」と、「水抜き弁（水抜き装置）６７ａの２次側の部分６６ｃ」とを連通させる。このとき、水栓本体３１の弁座部３６（止水機構部３６ｅ）は開放状態が維持されているため、水抜き弁（水抜き装置）６７ａの開弁操作によって、「水抜き弁（水抜き装置）６７ａの２次側の部分６６ｃ」と、２次側の流路部Ｙとが連通する。
【００５０】
これにより、本管部６２（止水弁６５の１次側に位置する部分）と、水抜き口６７ｂとが連通状態となり、本管部６２（止水弁６５の１次側に位置する部分）、元配管６０の端末部６１、止水機構部３６ｅの１次側の流路部（１次室３６ａ）Ｖ、及び、止水機構部３６ｅの２次側の流路部（２次室３６ｂ、配管構成部材３０Ｋの内部空間）Ｙが減圧状態となる。
【００５１】
そして、本管部６２、元配管６０の端末部６１、止水機構部の１次側の流路部Ｖ、止水機構部３６ｅの２次側の流路部Ｙからの水抜きがなされる。尚、本実施例と異なり、通常時に、弁座部３６ｄを閉鎖状態としておいて、洗濯機を使用する度に、弁座部３６ｄの開放するタイプの洗濯機用水栓設備３Ａ（洗濯機用水栓３０）も存在する。この場合においては、洗濯機水栓３０から水抜きを行う場合に、水抜き弁（水抜き装置）６７ａに開弁操作に先だって弁座部３６ｄを開放することが必要である。
【００５２】
以上のように、本洗濯機用水栓設備３Ａでは、２次側の流路部Ｙが水平経路部５０ａと、上昇経路部（立ち上がり部分５０ｂ及び吐水口部材４０）を備える。しかも、２次側の流路部Ｙの最下方部と同一の高さに止水機構部３６ｅを設けている。そして、通常、弁座部３６ｄ（止水機構部３６ｅ）は開放状態が維持されているため、洗濯機用水栓３０の１次側に配置される水抜き弁（水抜き装置）６７ａを操作すれば、洗濯機用水栓３０の全流路部内（止水機構部３６ｅの１次側の流路部Ｖ及び２次側の流路部Ｙ内）の圧力が減圧され、止水機構部３６ｅの２次側の流路部Ｙ内の残水を容易に排水できる。よって、本洗濯機用水栓３０であれば、非寒冷地であるか、寒冷地であるかを問わずに、汎用的に使用できる。
【００５３】
尚、本各発明の範囲は前記各実施例に示す具体的な態様に限定されず、本各発明の範囲内で種々の変形例を例示できる。即ち、止水機構部３６ｅの２次側の流路部Ｙの経路は、本実施例で示す経路に限定されない。つまり、図４の比較例の如き経路８８、つまり、「下方若しくは上方に凸となる略Ｕ字状、若しくは、Ｖ字状の経路部分を備える経路８８」とはならない範囲で種々選択できる。例えば、変形例１の経路８１のように、１次側から２次側に向かう上がり傾斜状の経路部分を備えてもよい。また、変形例２の経路８２のように、１次側から２次側に向かってなだらかに上昇する曲線状の経路部分を備えてもよい。
【００５４】
【発明の効果】
以上のように、本各発明によると、非寒冷地であるか、寒冷地であるかを問わずに、使用可能な洗濯機用水栓設備が得られる。
【図面の簡単な説明】
【図１】実施例の洗濯機用水栓設備の概略的な斜視図である。
【図２】図１のＩ−Ｉ縦断面図である。
【図３】図２の要部拡大縦断面図である。
【図４】変形例及び比較例の説明図ある。
【図５】従来例に係る縦断面図である。
【符号の説明】
１；洗濯機用パン、
２；床面（設置部）、
３Ａ；洗濯機用水栓設備、
１０；パン本体、
３０；洗濯機用水栓、
３０Ｋ；配管構成部材、
３６ｅ；止水機構部、
４０；吐水口部材、
６０；元配管、
Ｖ；１次側の流路部、
Ｙ；２次側の流路部。
【図１】
2004353387.tif 000003
【図２】
2004353387.tif 000004
【図３】
2004353387.tif 000005
【図４】
2004353387.tif 000006
【図５】
2004353387.tif 000007